(57)【要約】【課題】従来、操作パネルはトレーテーブルに固設されているため施術者が移動した際パネルとの相対位置がずれ操作しにくかった。また電子表示画面ではマーカ等で区分選択する場合目線と意識の集中操作を要し、施術者が移動した際画面との相対位置がずれ操作しにくかった。本件は上記の課題を解決する手段を提供する。【解決手段】歯科用チェアユニットのトレーテーブルにおいて姿勢制御を行うタッチスクリーンがトレーテーブルの周囲を回動し、かつタッチスクリーン自体が回動及び前後左右に傾斜可能でまた、いずれの設定姿勢でもロック可能な機構を備えてなる。【選択図】図１
2004195092.tif 000002
【特許請求の範囲】
【請求項１】
歯科用チェアユニットのトレーテーブルにおいて、
チェアユニットの姿勢制御を行うためのタッチスクリーンを、テーブルの外周近傍に沿って回動自在に設け、かつタッチスクリーン自体が回動及び前後左右に傾斜可能で、また、いずれの位置・傾斜角度でもロック可能な機構を備えてなることを特徴とする歯科用チェアユニットのトレーテーブル。
【請求項２】
歯科用チェアユニットのトレーテーブルにおいて、
外周が曲線状をなすトレーテーブルと、該テーブルの中心部を下から支えて立設された固定軸と、前記固定軸上部の周囲を自在に回動しかつ設定位置にてロック可能な外軸と、該外軸に周設された基部より、その先端がトレーテーブルの周囲の外側に至るように水平に横設された第１アームと、前記第１アームの先端上部に、トレーテーブルの周囲の外側にその先端が位置し、かつ上下動可能なように立設された第２アームと、さらに、該第２アームの先端に、回動及び前後左右に傾斜可能でかつ、選択された位置・傾斜角度でロック可能なタッチスクリーンを備えてなり、前記タッチスクリーンが、トレーテーブルの外周近傍を回動し、かつ、いずれの位置・傾斜角度においてもロック可能としたことを特徴とする歯科用チェアユニットのトレーテーブル。
【請求項３】
トレーテーブルの外形が、円形又は楕円形を有するものであることを特徴とする請求項１又は２に記載の歯科用チェアユニットのトレーテーブル。
【請求項４】
タッチスクリーンが、表示する絵柄、記号、文字、数字等の向きがタッチスクリーンの横又は縦方向に対応して変換される回路を備えてなることを特徴とする請求項１〜３に記載の歯科用チェアユニットのトレーテーブル。
【請求項５】
タッチスクリーンの向きが、停止位置から左右に移動できる機構を備えてなることを特徴とする請求項１〜４のいずれか１項に記載の歯科用チェアユニットのトレーテーブル。
【発明の詳細な説明】
【０００１】
【発明の属する技術分野】本発明は歯科用チェアユニットのテーブルに係り、特にトレーテーブルの周囲を回動しかつ、姿勢制御を自在に行うことができるタッチスクリーンに関する。
【０００２】
【従来の技術】従来、施術者は診療中の移動に対応してトレーテーブルを近くに移動させて使用するが、該テーブルに固設されている制御用の多数の押しボタンスイッチを集約してなる操作パネルの位置も共に移動していた。
また、トレーテーブルに固定された電子表示画面を採用し、必要に応じて画面の区分表示をマーカー等で選択し順次操作画面に切り替えて制御することも行われていた。
【０００３】
【発明が解決しようとする課題】しかし、操作スイッチの数は極力少なく、また、施術者の近くで操作できることが望ましいが、諸制御を集約して操作するには多数の押しボタンを一カ所に配列することを要し、また、操作パネルはトレーテーブルに固設されているため、前記施術者が移動した際操作パネルとの相対位置がずれ、操作しにくい位置になる場合があった。
また、前記電子表示画面は、施術者がマーカ等で区分選択する場合目線は確実に画面上の区分をとらえ、かつ、意識を集中させて操作する必要があるが、前記施術者が移動した際表示画面との相対位置がずれるため操作しにくい場合があった。さらに、トレーテーブル並びにその周辺の床面積は狭小のため、操作パネルの操作に際して、トレーテーブルの周辺及び上面の戴置物の障害にならないことが望まれていた。
本発明は、上記の課題を解決する手段を提供する。
【０００４】
【課題を解決しようとするための手段】上記に鑑み本発明者等は鋭意実験研究の結果下記の手段によりこの課題を解決した。
（１）歯科用チェアユニットのトレーテーブルにおいて、
チェアユニットの姿勢制御を行うためのタッチスクリーンを、テーブルの外周近傍に沿って回動自在に設け、かつタッチスクリーン自体が回動及び前後左右に傾斜可能で、また、いずれの位置・傾斜角度でもロック可能な機構を備えてなることを特徴とする歯科用チェアユニットのトレーテーブル。
（２）歯科用チェアユニットのトレーテーブルにおいて、
外周が曲線状をなすトレーテーブルと、該テーブルの中心部を下から支えて立設された固定軸と、前記固定軸上部の周囲を自在に回動しかつ設定位置にてロック可能な外軸と、該外軸に周設された基部より、その先端がトレーテーブルの周囲の外側に至るように水平に横設された第１アームと、前記第１アームの先端上部に、トレーテーブルの周囲の外側にその先端が位置し、かつ上下動可能なように立設された第２アームと、さらに、該第２アームの先端に、回動及び前後左右に傾斜可能でかつ、選択された位置・傾斜角度でロック可能なタッチスクリーンを備えてなり、前記タッチスクリーンが、トレーテーブルの外周近傍を回動し、かつ、いずれの位置・傾斜角度においてもロック可能としたことを特徴とする歯科用チェアユニットのトレーテーブル。
【０００５】
（３）トレーテーブルの外形が、円形又は楕円形を有するものであることを特徴とする前項（１）又は（２）に記載の歯科用チェアユニットのトレーテーブル。
（４）タッチスクリーンが、表示する絵柄、記号、文字、数字等の向きがタッチスクリーンの横又は縦方向に対応して変換される回路を備えてなることを特徴とする前項（１）〜（３）に記載の歯科用チェアユニットのトレーテーブル。
（５）タッチスクリーンの向きが、停止位置から左右に移動できる機構を備えてなることを特徴とする前項（１）〜（４）のいずれか１項に記載の歯科用チェアユニットのトレーテーブル。
【０００６】
【発明の実施の形態】以下図面に基づき、発明の実施の形態を説明する。
図１は本発明のタッチスクリーンを備えた歯科用チェアユニットのトレーテーブルの平面図である。
図において、１は歯科用チェアユニット、２はチェア、３は背もたれ、４はヘッドレスト、５は患者頭部、６は口腔の位置、７は施術者、８は目線、９は指先の方向、１０はスピットン、１１は補助者用トレーテーブル、１２はハンドピース、１３はライト用アーム、１４はトレーテーブル、１５はハンドピース、１６はタッチスクリーン、１７は移動用把手、１８は押しボタンスイッチ操作パネル、１９は小トレーコーナ、２０はガスバーナ配設コーナ、２１はメイントレー、２２はシャーカステン、２３はトレーテーブル用多関節アーム、２４はタッチスクリーンの回動方向、２５はインスツルメント台、を示す。
【０００７】
図示したように、トレーテーブル１４は円形状をなし、その周囲をタッチスクリーン１６がタッチスクリーンの回動方向２４のように回動する（後記図３、図４）。
施術者７の目線８は患者頭部５の口腔の位置６付近にあるが、指先の方向９はタッチスクリーン１６の方向にあり、操作の際はそちらに目線を向け容易に指先でタッチすることがきる。
前記タッチスクリーン１６は縦向きでタッチし易いようにやや前傾（図３、図４）して、施術者７から見てトレーテーブル１４の右側前方にある。
【０００８】
図２はタッチスクリーンを左側前方に移動させた平面図である。
この時、施術者７の患者との相対位置は３時の方向に移動し、トレーテーブル１４も施術者から見て下方やや右向きに移動している、
前述したように施術者７の目線８は患者頭部５の口腔の位置６付近にあり、指先の方向９はタッチスクリーン１６の方向にあるが、腕を伸ばして指先でタッチする距離は前記図１と同じであり、容易にタッチできる。
また、タッチスクリーン１６はチェア２に近接しスペースが狭いため、縦向きの姿勢に設定されることが望ましい（後記図３、図４）。
【０００９】
図３は、タッチスクリーンを備えたトレーテーブルの外観斜視図である。
当初タッチスクリーン１６は右側前方に前傾して設定されている。
図において、２７は第１アーム（水平アーム）、２６は第２アーム（垂直アーム）、３２はガスバーナを示す。
前記施術者７の移動に伴って、トレーテーブル１４の周囲の前方を第１アーム２７及びタッチスクリーン１６を回動させ左側前方で停止させる、この時タッチスクリーン１６の表示面は当初と同じ向きである（点線にて表示）。
なお、１８は押しボタンスイッチを集約配列した固定の押しボタンスイッチ操作パネルで、使用頻度の低いものを配設している。
【００１０】
図４は、図３の正面図である。
図において２９は固定軸、３１は外軸を示す。
図示したように、トレーテーブル１４の中心部を下から支えて立設された固定軸２９と、該固定軸２９上部の周囲を自在に回動しかつ設定位置にてロック可能な外軸３１と、該外軸３１に周設された基部より、その先端がトレーテーブル１４の周囲の外側に至るように水平に横設された第１アーム２７と、前記第１アーム２７の先端上部に、トレーテーブル１４の周囲の外側にその先端が位置し、かつ上下動可能なように第２アーム２６が立設（図５）されている。
さらに、上記第２アーム２６の先端には、回動及び前後左右に傾斜できかつ、その設定姿勢でロック可能なタッチスクリーン１６が、縦型、前傾姿勢で配設されている。
そして、点線は、前記タッチスクリーン１６が、トレーテーブル１４前方の周囲を回動して反対側の左前方に設定された状態を示す。
【００１１】
次に、前述した姿勢制御機構の事例（手動による）を示す。
図５は図４の右側面図である。
図において、３１は外軸、３３はボールソケット、３４はボール固定軸、３５はタッチスクリーン支持固定軸、３６はロック調節用つまみ、３８は上下動調節用つまみ、４４は固定軸の肉厚円筒部を示す。
図６は、タッチスクリーンのアーム基部の回動部分の縦断面図で、
（イ）図は第１アーム基部の回動部分の縦断面図、
（ロ）図は（イ）図のＡ−Ａ’の断面図、
（ハ）図は（イ）図のＢ−Ｂ’の断面図を示す。
図において、３９は押しバネ用蓋、４０は押しバネ、４１は鋼球、４２は鋼球受け凹部、４３は固定軸の中心線、４７は回動方向、４８は外軸の肉厚円筒部を示す。
図７はタッチスクリーン自体の可動回転部分の縦断面図で、
（イ）図は（ロ）図の左側面図、
（ロ）図は図５の正面断面図、
（ハ）図はタッチスクリーンの可動方向図である。
図において、２８はボール、３４はボール固定軸、３６’はボール締め付け及び緩めネジ、３７はタッチスクリーン自体の回動方向、３８’はボール固定軸締め付け及び緩めネジ、４５は前後傾斜方向、４６は左右傾斜方向、を示す。
【００１２】
図５及び図６に示したようにタッチスクリーン１６は、トレーテーブルの１４の中心部を下から支えて立設された固定軸２９と、該固定軸２９上部の周囲を自在に回動し、かつ設定位置にてロック可能である。
その機構の事例として、前記第１アーム２７の基部に横設された外軸３１と、該外軸の肉厚円筒部４８の肉厚部分の中心の２カ所に上方から貫通孔を設け、その先端は貫通孔の径よりやや小さめとして上方から鋼球４１を入れ、その上部を螺旋状の押しバネ４０にて押さえ、貫通孔の入り口は押しバネ用蓋３９で固定する（図５、図６の（イ）図、（ロ）図）。
したがって、前記鋼球４１は押しバネ４０の押力によって常時下方に付勢されている。
【００１３】
また、前記外軸の肉厚円筒部４８の下部には、同型の固定軸の肉厚円筒部４４が固定軸２９に周設固定されその上面は、前記外軸の肉厚円筒部４８の下面と摺接している。
さらに（ハ）図のように、固定軸の肉厚円筒部４４の上面には、前記鋼球４１と同一の周径の位置に計１２個の鋼球受け凹部４２が配設されている。
そして、前記第１アーム２７を回動させると、外軸の肉厚円筒部４８が回動する。
この際、下方に付勢された鋼球４１の先端は前記、固定軸の肉厚円筒部４４の上面を摺動するが、前記鋼球受け凹部４２に至るとその中に圧入されるため回動はロックされる。
しかし、第１アーム２７により強い回動力を加えると、前記鋼球４１は押し戻されて、次の鋼球受け凹部４２に至るまで摺動する。
上記のようにして、第１アーム２７は鋼球受け凹部４２のいずれかの位置に回動しかつロックされる。
したがって、第１アーム先端部に配設されたタッチスクリーン１６も回動し、かつロックすることができる（図５）。
【００１４】
また、タッチスクリーン自体の可動回転部分は縦断面図７の（ロ）図に示したように、前記第１アーム２７の先端部には円筒状の第２アーム２６が立設されており、前記円筒状の内径部には、先端にボール２８を固設したボール固定軸３４が上下動可能に嵌入されている（イ）図。
そして、前記ボール２８の外側を包んでボールソケット３３が可動自在に配設れており、また、該ボールソケット３３の上部には、タッチスクリーン支持固定軸３５が立設されかつ、その先端にはタッチスクリーン１６の下面が斜めに固設されている。
さらに、前記ボールソケット３３の側面には、ボール締め付け及び緩めネジ３６’と、そのロック調整用つまみ３６が配設されている。
そして、前記ボール締め付け及び緩めネジ３６’を、ロック調整用つまみ３６で緩めると、ボールソケット３３は回動及び前後、左右傾斜自在に動く。
また、前記ロック調整用つまみ３６を回転させてボールを締め付けるとボールソケット３３は固定される。
したがって、タッチスクリーン１６を、前記のボールソケット３３と同じ姿勢に可動させ、また固定させることができる。
なお、タッチスクリーン１６の可動は手動によるものとする。
（ハ）図に前記タッチスクリーンの可動方向を示す。
タッチスクリーン１６は、前後傾斜方向４５、左右傾斜方向４６のように傾斜し、かつタッチスクリーン自体の回動方向３７のように回動することができる。
【００１５】
図７の（イ）図は、前記タッチスクリーン１６の位置を上下動させたい場合に使用されるもので、
前述したように、第１アーム２７の先端部には円筒状の第２アーム２６が立設されており、該円筒状の内径部には、先端にボール２８を固設したボール固定軸３４が上下可能に嵌込まれている。
そして、ボール固定軸３４は、その側面に配設されたボール固定軸締め付け及び緩めネジ３８’の上下動調整用つまみ３８を緩めた時は上下に摺動可能で、また締め付けるとその位置において固定することができる。
以上のようにして、タッチスクリーン１６は、トレーテーブル１４の周囲を回動すると共に自体の姿勢を前後、左右に傾斜及び回動することができるため、
施術者７は、施療に最適な位置及び姿勢に設定することができる。
【００１６】
また、前記タッチスクリーン１６は、周知のように画面に指を触れることで入力操作が行われるが、本発明では画面の姿勢は縦横に変換することもできるため、例えば、角度センサ等の信号に基づき表示する絵柄、記号、文字、数字等の向きを、タッチスクリーン１６の縦又は横方向に対応して変換することができる回路を備え、施術者が使い易いように配慮されている。
【００１７】
さらに、前記タッチスクリーン１６の姿勢が、停止位置から左右に移動できる機構を備えている。例えば、前記立設されたタッチスクリーン支持固定軸３５の上部先端部に小スライドレールを設け、タッチスクリーン１６をそのスライドレール上に設置して左右にスライドさせ、所要位置にて停止ロックさせてもよい（図示せず）。
特にタッチスクリーン１６の姿勢を横向きにしたとき、横幅の左右端の位置を変えて、施術し易いように設定したい時に有用である。
【００１８】
【発明の効果】本発明によれば下記のような優れた効果を発揮することができる。
１、本発明の請求項１の発明によれば、
歯科用チェアユニットのトレーテーブルにおいて、チェアユニットの姿勢制御を行うタッチスクリーンが、トレーテーブルの外周近傍を回動し、かつタッチスクリーン自体が回動及び前後左右に傾斜可能で、また、いずれの位置・傾斜角度でもロック可能な機構を備えてなるため、施術者は、施術の際の移動に応じてタッチスクリーンを施療に最適な位置及び姿勢に設定することができる。
２、請求項２の発明によれば、
歯科用チェアユニットのトレーテーブルにおいて、外周が曲線状をなすトレーテーブルと、該トレーテーブルの中心部を下から支えて立設された固定軸と、前記固定軸上部の周囲を自在に回動しかつ設定位置にてロック可能な外軸と、該外軸に周設された基部より、その先端がトレーテーブルの周囲の外側に至るように水平に横設された第１アームと、前記第１アームの先端上部に、トレーテーブルの周囲の外側にその先端が位置し、かつ上下動可能なように立設された第２アームと、さらに、該第２アームの先端に、回動及び前後左右に傾斜可能でかつ、その設定姿勢でロック可能なタッチスクリーンを備えてなるため、簡単な機構で、施術者は、施術の際の移動に応じてタッチスクリーンを施療に最適な位置及び姿勢に設定することができる。
【００１９】
３、請求項３の発明によれば、
トレーテーブルが、円形又は楕円形であるため、タッチスクリーンをトレーテーブルの外周近傍に沿って容易に回動させることができ、かつ突起部（角部）がないため、施術者の衣服の一部がひっかかったり、不意の位置ずれを生じる恐れがない。
４、請求項４の発明によれば、
タッチスクリーンが、表示する絵柄、記号、文字、数字等の向きがタッチスクリーンの横又は縦方向に対応して変換される回路を備えてなるため、施術者が常に絵柄・文字等を見易くすることができる。
５、請求項５の発明によれば、
タッチスクリーンの向きが、停止位置から左右に移動できる機構を備えてなるため、特にタッチスクリーンを横向きにしたとき、横幅の左右端の位置を変えて、施術し易いように設定したい場合に有効である。
【図面の簡単な説明】
【図１】本発明のタッチスクリーンを備えた歯科用チェアユニットのトレーテーブルの平面図。
【図２】タッチスクリーンを左側前方に移動させた平面図。
【図３】タッチスクリーンを備えたトレーテーブルの外観斜視図。
【図４】図３の正面図。
【図５】図４の右側面図。
【図６】タッチスクリーンのアーム基部の回動部分の縦断面図。
【図７】タッチスクリーン自体の可動回転部分の縦断面図。
【符号の説明】
１：歯科用チェアユニット            ２：チェア
３：背もたれ                        ４：ヘッドレスト
５：患者頭部                        ６：口腔の位置
７：施術者                          ８：目線
９：指先の方向                      １０：スピットン
１１：補助者用トレーテーブル        １２：ハンドピース
１３：ライト用アーム                １４：トレーテーブル
１５：ハンドピース                  １６：タッチスクリーン
１７：移動用把手                    １８：押しボタンスイッチ操作パネル
１９：小トレーコーナ                ２０：ガスバーナ配設コーナ
２１：メイントレー                  ２２：シャーカステン
２３：トレーテーブル用多関節アーム  ２４：タッチスクリーンの回動方向、
２５：インスツルメント台            ２６：第２アーム
２７：第１アーム                    ２８：ボール
２９：固定軸                        ３０：トレーテーブル台
３１：外軸                          ３２：ガスバーナ
３３：ボールソケット                ３４：ボール固定軸                  ３５：タッチスクリーン支持固定軸    ３６：ロック調節用つまみ            ３６’：ボール締め付け及び緩めネジ
３７：タッチスクリーン自体の回動方向
３８：上下動調節用つまみ
３８’：ボール固定軸締め付け及び緩めネジ
３９：押しバネ用蓋                  ４０：押しバネ
４１：鋼球                          ４２：鋼球受け凹部
４３：固定軸の中心線                ４４：固定軸の肉厚円筒部
４５：前後傾斜方向                  ４６：左右傾斜方向
４７：回動方向                      ４８：外軸の肉厚円筒部
【図１】
2004195092.tif 000003
【図２】
2004195092.tif 000004
【図３】
2004195092.tif 000005
【図４】
2004195092.tif 000006
【図５】
2004195092.tif 000007
【図６】
2004195092.tif 000008
【図７】
2004195092.tif 000009